(57)【要約】【課題】  保湿性に加えて各種効能を付加し、相乗効果によるこの種の靴下類における付加価値及び多様性（多機能性）を飛躍的に高めるとともに、踵が蒸れることによる雑菌の繁殖や臭いの発生を解消或いは低減する。【解決手段】  人体に対して所定の効能を有する１〜１００〔μｍ〕の範囲の粒子からなる粉末材及び／又は流体剤を用いた添加素材３ａを樹脂素材３ｒに対して０．０１〜２０〔％〕配合して得た添加樹脂素材３を、靴下類本体２の内面２ｉにおける少なくとも足Ｆの踵Ｆｈが当たる部位Ｘｓに塗布する。【選択図】  図１
0003114911.tif 000002
【実用新案登録請求の範囲】
【請求項１】
靴下類本体の内面における少なくとも足の踵が当たる部位に保湿用の樹脂素材を塗布してなる靴下類において、人体に対して所定の効能を有する１〜１００〔μｍ〕の範囲の粒子からなる粉末材及び／又は流体剤を用いた添加素材を前記樹脂素材に対して０．０１〜２０〔％〕配合して得た添加樹脂素材を、前記靴下類本体の内面における少なくとも足の踵が当たる部位に塗布してなることを特徴とする靴下類。
【請求項２】
前記添加素材には、少なくとも、抗菌効果を有する素材，血行促進効果を有する素材，肌荒れ防止効果を有する素材，消臭効果を有する素材，加温効果を有する素材，保湿効果をより高める素材の一又は二以上を含むことを特徴とする請求項１記載の靴下類。
【請求項３】
少なくとも、靴下又はサポーターに適用することを特徴とする請求項１又は２記載の靴下類。
【考案の詳細な説明】
【技術分野】
【０００１】
本考案は、靴下類本体の内面における少なくとも足の踵が当たる部位に保湿用の樹脂素材を塗布してなる靴下類の改良に関する。
【背景技術】
【０００２】
従来、人体における足の踵の角質化を防止するため、靴下本体の内面における少なくとも足の踵が当たる部位に保湿用の樹脂素材を塗布した靴下が知られている。
【０００３】
例えば、実開平３−９９７０７号公報には、靴下の人体の踵部又は踵部及び指先部を包む内面又は外面に軟質塩化ビニール樹脂ペーストを塗布し、その上に吸湿、保湿機能を有する繊維から成る編布を圧着又は接着して保湿部とした靴下が開示されている。
【特許文献１】実開平３−９９７０７号
【考案の開示】
【考案が解決しようとする課題】
【０００４】
しかし、上述した従来の靴下（靴下類）は、次のような問題点があった。
【０００５】
第一に、軟質塩化ビニール樹脂ペーストの塗布により足の踵に対する保湿性を確保し、これにより、肌の乾燥を防止するようにしたため、足の踵の角質化を防止する観点からはそれ相応の効果を発揮するものの、これ以上の効果を生じさせるものではなく、結局、この種の靴下類の付加価値をより高める観点からは不十分である。
【０００６】
第二に、足の踵に対する保湿性は確保されるものの、反面、通気性が低下するなどの不具合を生じる。このため、軟質塩化ビニール樹脂の塗布面に当たる踵が蒸れてしまい、雑菌の繁殖を招くとともに、臭いの発生原因ともなる。
【０００７】
本考案は、このような背景技術に存在する課題を解決した靴下類の提供を目的とするものである。
【課題を解決するための手段】
【０００８】
本考案は、上述した課題を解決するため、靴下類本体２の内面２ｉにおける少なくとも足Ｆの踵Ｆｈが当たる部位Ｘｓに保湿用の樹脂素材３ｒを塗布してなる靴下類１を構成するに際して、人体に対して所定の効能を有する１〜１００〔μｍ〕の範囲の粒子からなる粉末材及び／又は流体剤を用いた添加素材３ａを樹脂素材３ｒに対して０．０１〜２０〔％〕配合して得た添加樹脂素材３を、靴下類本体２の内面２ｉにおける少なくとも足Ｆの踵Ｆｈが当たる部位Ｘｓに塗布してなることを特徴とする。
【０００９】
この場合、考案の好適な態様により、添加素材３ａには、少なくとも、抗菌効果を有する素材，血行促進効果を有する素材，肌荒れ防止効果を有する素材，消臭効果を有する素材，加温効果を有する素材，保湿効果をより高める素材の一又は二以上を含ませることができる。また、靴下類１には、少なくとも、靴下１ａ又はサポーター１ｂに適用することができる。
【考案の効果】
【００１０】
このような構成を有する本考案に係る靴下類１によれば、次のような顕著な効果を奏する。
【００１１】
（１）  保湿用の樹脂素材３ｒに対して人体に所定の効能を有する添加素材３ａを適量配合した添加樹脂素材３を用いたため、保湿性に加えて各種効能を付加することができ、相乗効果によるこの種の靴下類１における付加価値及び多様性を飛躍的に高めることができる。
【００１２】
（２）  添加素材３ａの選定により、保湿用の樹脂素材３ｒのみにより発生する不具合、即ち、踵Ｆｈが蒸れることによる雑菌の繁殖や臭いが発生する不具合を解消或いは低減することができる。
【００１３】
（３）  好適な態様により、添加素材３ａに、少なくとも、抗菌効果を有する素材，血行促進効果を有する素材，肌荒れ防止効果を有する素材，消臭効果を有する素材，加温効果を有する素材，保湿効果をより高める素材の一又は二以上を含ませれば、相乗効果による付加価値及び多様性（多機能性）を、より高めることができる。
【考案を実施するための最良の形態】
【００１４】
次に、本考案に係る最良の実施形態を挙げ、図面に基づき詳細に説明する。
【００１５】
まず、本実施形態に係る靴下１ａの製造方法について、図１及び図２を参照しつつ図３に示す工程図に従って説明する。
【００１６】
本実施形態に係る靴下１ａの製造に際しては、別途の製造工程で製造した靴下本体２（図１及び図２）を用意する。この靴下本体２は一般的な靴下を用意すれば足り、素材や用途等は特に制限されない。
【００１７】
一方、樹脂素材３ｒと添加素材３ａを用意する（ステップＳ１，Ｓ２）。この場合、樹脂素材３ｒとしては、シリコン系ゴム素材が好適であるが、硬化後に一定の軟質性を有する各種合成樹脂素材或いは各種ゴム素材、例えば、ラテックス系ゴム素材，アクリル樹脂素材，ポリ塩化ビニル樹脂素材，ポリウレタン系樹脂素材等を利用できる。したがって、樹脂素材３ｒとは、少なくとも保湿性の機能を有するゴム素材等も含む概念である。
【００１８】
また、添加素材３ａとしては、人体に対して所定の効能を有する各種素材を用いることができ、例えば、抗菌効果を有する素材，血行促進効果を有する素材，肌荒れ防止効果を有する素材，消臭効果を有する素材，加温効果を有する素材，保湿効果をより高める素材の一又は二以上を用いることができる。図４に、添加素材３ａの一例とその効果（効能）を示す。
【００１９】
図４に示す添加素材３ａにおいて、チタンは、光触媒反応により優れた抗菌効果を発揮することが知られており、抗菌効果を有する素材として好適である。また、古くから食品の保存等に利用されてきた熊笹（熊笹エキス）も抗菌効果を有する天然素材として好適である。一方、ゲルマニウムは、人体電流を整える作用があると言われており、血行促進効果を有する素材として用いることができる。また、シルクプロテインは、タンパク質の組成が人体の皮膚に近い構造であり、特に、コラーゲンが皮膚の肌荒れ防止効果を有する。さらに、トルマリンは、遠赤外線放出物質であり、マイナスイオンを生成し、加温効果を発揮することが知られている。
【００２０】
その他、消臭効果を有する素材としては、化学物質や天然素材を用いた公知の消臭材を利用することができるとともに、保湿効果をより高める素材としては、樹脂素材３ｒの密着性をより高める等の樹脂素材３ｒに対して作用する添加剤を用いることができる。
【００２１】
一方、用意した添加素材３ａは、粉末機により粉末化処理（パウダー化処理）する（ステップＳ３）。この場合、添加素材３ａは、１〜１００〔μｍ〕の範囲の粒子、望ましくは１０〜６０〔μｍ〕の範囲の粒子からなる粉末材にする。また、熊笹エキス等の流体剤は、そのまま利用できる。なお、樹脂素材３ｒに旨く混合しない流体剤は、予め固定状態にし、同様の粉末化処理を行うことにより利用できる。
【００２２】
そして、用意した樹脂素材３ｒと添加素材３ａの計量を行う（ステップＳ４，Ｓ５）。この場合、樹脂素材３ｒを１００〔％〕とした場合、添加素材３ａは、重量比で０．０１〜２０〔％〕、望ましくは、０．１〜８〔％〕の配合比となるように計量する。また、計量した樹脂素材３ｒと添加素材３ａは、ミキサーに収容して均一に混合処理する（ステップＳ６）。これにより、樹脂素材３ｒに添加素材３ａを混合した添加樹脂素材３が得られる（ステップＳ７）。
【００２３】
この後、添加樹脂素材３を、裏返した靴下本体２に塗布する（ステップＳ８）。この場合、シルクスクリーン印刷等を利用し、靴下本体２の内面２ｉにおける足の踵Ｆｈが当たる部位Ｘｓを含む予め設定した一定の範囲に一定の厚さとなるように塗布する。なお、塗布範囲は、図１及び図２に示すように、踵Ｆｈが当たる部位Ｘｓに対して所定の余裕を持たせた範囲を設定し、不必要に広くならないように考慮するとともに、塗布厚も不必要に厚くならないように考慮する。
【００２４】
添加樹脂素材３の塗布処理が終了したなら加熱環境（乾燥乾燥）に晒して塗布した添加樹脂素材３に対する硬化処理を行う（ステップＳ９）。これにより、図１に示す靴下１ａを得ることができる（ステップＳ１０）。
【００２５】
このようにして得る本実施形態に係る靴下１ａは、図１に示すように、普通の靴下と同様に足Ｆに履くことができる。この際、硬化した添加樹脂素材３は、足の踵Ｆｈを包むように当たるため、保湿性が確保され、肌の乾燥が防止されることにより踵Ｆｈの角質化が防止される。加えて、添加樹脂素材３には、人体に所定の効能を有する添加素材３ａを適量配合してなるため、保湿性に加えて各種効能を付加することができ、相乗効果によるこの種の靴下１ａにおける付加価値及び多様性を高めることができる。また、樹脂素材３ｒのみにより発生する不具合、即ち、踵Ｆｈが蒸れることによる雑菌の繁殖や臭いの発生に対して、添加素材３ａの選定により、これらの不具合を解消或いは低減することができる。しかも、添加素材３ａとして、少なくとも、抗菌効果を有する素材，血行促進効果を有する素材，肌荒れ防止効果を有する素材，消臭効果を有する素材，加温効果を有する素材，保湿効果をより高める素材の一又は二以上を用いることができるため、相乗効果による付加価値及び多様性（多機能性）を、より高めることができる。
【００２６】
以上、最良の実施形態について詳細に説明したが、本考案は、このような実施形態に限定されるものではなく、細部の構成，形状，素材等において、本考案の要旨を逸脱しない範囲で、任意に変更，追加，削除することができる。
【００２７】
例えば、靴下類１として靴下１ａを挙げて説明したが、図５に示すサポーター１ｂにも同様に適用することができる。この場合、サポーター本体２の内面２ｉに、図１に示した靴下１ａの場合と同様に、樹脂素材３ｒに添加素材３ａを混合した添加樹脂素材３を塗布すればよい。その他、足Ｆに装着する同様の各種靴下類１に適用可能である。また、添加素材３ａとして、抗菌効果を有する素材，血行促進効果を有する素材，肌荒れ防止効果を有する素材，消臭効果を有する素材，加温効果を有する素材，保湿効果をより高める素材を例示したが、他の効果を有する素材を排除するものではない。なお、これらの素材は、選択した一つの素材を用いてもよいし、二以上の素材を組合わせて用いてもよい。
【図面の簡単な説明】
【００２８】
【図１】本考案の最良の実施形態に係る靴下の抽出拡大図を含む断面側面図、
【図２】同靴下の底面図、
【図３】同靴下の製造方法を説明するための工程図、
【図４】同靴下に用いる添加素材の一例を示す素材表
【図５】本考案の変更実施形態に係るサポーターの断面側面図、
【符号の説明】
【００２９】
１    靴下類
１ａ  靴下
１ｂ  サポーター
２    靴下類本体
２ｉ  内面
３    添加樹脂素材
３ｒ  樹脂素材
３ａ  添加素材
Ｆ    足
Ｆｈ  踵
Ｘｓ  踵が当たる部位
【図１】
0003114911.tif 000003
【図２】
0003114911.tif 000004
【図３】
0003114911.tif 000005
【図４】
0003114911.tif 000006
【図５】
0003114911.tif 000007